(57)【要約】【課題】複数のＷＤＭ信号をモニタする装置または回路のコストを抑制可能な光チャネルモニタを提供する。【解決手段】光チャネルモニタは、第１〜第３の光ポートを有し、第１の光ポートの入力光を第２の光ポートに導き、第２の光ポートの入力光を第３の光ポートに導く第１の光デバイスと、第４〜第６の光ポートを有し、第４の光ポートの入力光を第５の光ポートに導き、第５の光ポートの入力光を第６の光ポートに導く第２の光デバイスと、第２の光ポートと光学的に接続する第７の光ポートおよび第５の光ポートと光学的に接続する第８の光ポートを有し、第７の光ポートと第８の光ポートとの間で指定された波長を透過させる光フィルタと、第２の光デバイスの第６の光ポートの出力光を検出する第１の受光器と、第１の光デバイスの第３の光ポートの出力光を検出する第２の受光器を有する。【選択図】図４
2013197804.tif 000002
【特許請求の範囲】
【請求項１】
第１の光ポート、第２の光ポート、第３の光ポートを有し、前記第１の光ポートの入力光を前記第２の光ポートに導き、前記第２の光ポートの入力光を少なくとも前記第３の光ポートに導く第１の光デバイスと、
第４の光ポート、第５の光ポート、第６の光ポートを有し、前記第４の光ポートの入力光を前記第５の光ポートに導き、前記第５の光ポートの入力光を少なくとも前記第６の光ポートに導く第２の光デバイスと、
前記第１の光デバイスの第２の光ポートと光学的に接続する第７の光ポート、および前記第２の光デバイスの第５の光ポートと光学的に接続する第８の光ポートを有し、前記第７の光ポートと前記第８の光ポートとの間で指定された波長を透過させる光フィルタと、
前記第２の光デバイスの第６の光ポートの出力光を検出する第１の受光器と、
前記第１の光デバイスの第３の光ポートの出力光を検出する第２の受光器と、
を有する光チャネルモニタ。
【請求項２】
前記第１の光デバイスは、前記第２の光ポートの入力光を前記第１の光ポートおよび前記第３の光ポートに導く光カプラであり、
前記第２の光デバイスは、前記第５の光ポートの入力光を前記第４の光ポートおよび前記第６の光ポートに導く光カプラである
ことを特徴とする請求項１に記載の光チャネルモニタ。
【請求項３】
前記第１の光ポートへの入力光を透過させ、前記第１の光ポートの出力光を阻止する第１の光アイソレータと、
前記第４の光ポートへの入力光を透過させ、前記第４の光ポートの出力光を阻止する第２の光アイソレータ、をさらに有する
ことを特徴とする請求項２に記載の光チャネルモニタ。
【請求項４】
前記第１の光デバイスは、前記第３の光ポートの出力パワーが前記第１の光ポートの出力パワーよりも大きくなるように、前記第２の光ポートの入力光を分岐し、
前記第２の光デバイスは、前記第６の光ポートの出力パワーが前記第４の光ポートの出力パワーよりも大きくなるように、前記第５の光ポートの入力光を分岐する
ことを特徴とする請求項１に記載の光チャネルモニタ。
【請求項５】
前記第１の光デバイスは、前記第１の光ポートの入力光を前記第２の光ポートに導き、前記第２の光ポートの入力光を前記第３の光ポートに導く光サーキュレータであり、
前記第２の光デバイスは、前記第４の光ポートの入力光を前記第５の光ポートに導き、前記第５の光ポートの入力光を前記第６の光ポートに導く光サーキュレータである
ことを特徴とする請求項１に記載の光チャネルモニタ。
【請求項６】
前記光フィルタの透過波長を掃引する波長掃引器をさらに有する
ことを特徴とする請求項１に記載の光チャネルモニタ。
【請求項７】
前記第１の受光器の出力信号に基づいて、前記第１の光デバイスの第１の光ポートに入力される第１のＷＤＭ信号の複数のチャネルのパワーを検出する第１の検出器と、
前記第２の受光器の出力信号に基づいて、前記第２の光デバイスの第４の光ポートに入力される第２のＷＤＭ信号の複数のチャネルのパワーを検出する第２の検出器、をさらに有する
ことを特徴とする請求項６に記載の光チャネルモニタ。
【請求項８】
第１のＷＤＭ信号を送信すると共に第２のＷＤＭ信号を受信する光伝送装置であって、
前記光伝送装置は、光チャネルモニタを有し、
前記光チャネルモニタは、
第１の光ポート、第２の光ポート、第３の光ポートを有し、前記第１の光ポートの入力光を前記第２の光ポートに導き、前記第２の光ポートの入力光を少なくとも前記第３の光ポートに導く第１の光デバイスと、
第４の光ポート、第５の光ポート、第６の光ポートを有し、前記第４の光ポートの入力光を前記第５の光ポートに導き、前記第５の光ポートの入力光を少なくとも前記第６の光ポートに導く第２の光デバイスと、
前記第１の光デバイスの第２の光ポートと光学的に接続する第７の光ポート、および前記第２の光デバイスの第５の光ポートと光学的に接続する第８の光ポートを有し、前記第７の光ポートと前記第８の光ポートとの間で指定された波長を透過させる光フィルタと、
前記第２の光デバイスの第６の光ポートの出力光を検出する第１の受光器と、
前記第１の光デバイスの第３の光ポートの出力光を検出する第２の受光器、を有し、
前記第１のＷＤＭ信号は、前記第１の光デバイスの第１の光ポート導かれ、
前記第２のＷＤＭ信号は、前記第２の光デバイスの第４の光ポート導かれる
ことを特徴とする光伝送装置。
【発明の詳細な説明】
【技術分野】
【０００１】
本発明は、ＷＤＭ信号のチャネルをモニタする光チャネルモニタに係わる。
【背景技術】
【０００２】
光通信システムにおいて大容量伝送を実現する技術の１つとして、波長分割多重（ＷＤＭ：Wavelength Division Multiplexing）が実用化されている。ＷＤＭは、波長の異なる複数のチャネルを提供する。すなわち、ＷＤＭ信号中には、波長の異なる複数の光信号が多重化されている。
【０００３】
ＷＤＭ信号を伝送するＷＤＭ伝送システムのノードには、光分岐挿入装置（ＯＡＤＭ：Optical Add-Drop Multiplexer）が設けられる。光分岐挿入装置は、ＷＤＭ信号から指定された波長の光信号を分岐してクライアントに導くことができる。また、光分岐挿入装置は、任意の波長のクライアント信号をＷＤＭ信号に挿入することができる。さらに、多くの光分岐挿入装置は、ＷＤＭ信号の波長チャネルをモニタするための光チャネルモニタ（ＯＣＭ：Optical Channel Monitor）を有する。
【０００４】
図１は、光チャネルモニタを含む光分岐挿入装置の一例を示す。図１では、光伝送路上に設けられる２台の光分岐挿入装置１００（１００Ａ、１００Ｂ）が描かれている。
光分岐挿入装置１００は、ＯＡＤＭデバイス１０１、光ビームスプリッタ１０２、ポストアンプ１０３、合波器１０４、光チャネルモニタ１０５、コントローラ１０６、分波器１０７、プリアンプ１０８、光ビームスプリッタ１０９、光チャネルモニタ１１０、コントローラ１１１、監視信号送信機１１２、監視信号受信機１１３を有する。ここで、光分岐挿入装置１００Ａ、１００Ｂの構成および動作は、互いに実質的に同じであるものとする。よって、以下では、光分岐挿入装置１００Ａの動作を説明する。
【０００５】
ＯＡＤＭデバイス１０１は、クライアント信号をＷＤＭ信号に挿入できる。また、ＯＡＤＭデバイス１０１は、コントローラ１０６からの指示に従って、ＷＤＭ信号の各チャネルのパワーを調整することができる。なお、ＯＡＤＭデバイス１０１は、波長選択スイッチ（ＷＳＳ：Wavelength Selective Switch）を有する。
【０００６】
光ビームスプリッタ１０２は、ＯＡＤＭデバイス１０１から出力されるＷＤＭ信号を分岐してポストアンプ１０３および光チャネルモニタ１０５に導く。なお、光分岐挿入装置１００ＡのＯＡＤＭデバイス１０１から出力されるＷＤＭ信号は、光分岐挿入装置１００Ｂへ送信される。
【０００７】
光チャネルモニタ１０５は、ＯＡＤＭデバイス１０１から出力されるＷＤＭ信号の各チャネルのパワーをモニタする。ポストアンプ１０３は、ＯＡＤＭデバイス１０１から出力されるＷＤＭ信号を増幅する。合波器１０４は、ポストアンプ１０３により増幅されたＷＤＭ信号に監視信号送信機１１２から出力される監視信号を合波する。
【０００８】
したがって、光分岐挿入装置１００Ａから光伝送路１２０Ａを介して光分岐挿入装置１００ＢへＷＤＭ信号および監視信号が伝送される。同様に、光分岐挿入装置１００Ｂから光伝送路１２０Ｂを介して光分岐挿入装置１００ＡへＷＤＭ信号および監視信号が伝送される。
【０００９】
光分岐挿入装置１００Ａは、光分岐挿入装置１００Ｂから送信されるＷＤＭ信号および監視信号を受信する。分波器１０７は、入力ＷＤＭ信号をプリアンプ１０８に導き、入力監視信号を監視信号受信機１１３に導く。プリアンプ１０８は、ＷＤＭ信号を増幅する。光ビームスプリッタ１０９は、プリアンプ１０８により増幅されたＷＤＭ信号を分岐して光チャネルモニタ１１０に導く。さらに、光スプリッタ１１５は、出力ＷＤＭ信号を分岐する。この分岐ＷＤＭ信号から指定された波長が選択され、クライアントへ送信される。
【００１０】
光チャネルモニタ１１０は、光分岐挿入装置１００Ｂから受信したＷＤＭ信号の各チャネルのパワーをモニタする。コントローラ１１１は、光チャネルモニタ１１０によるモニタ結果に基づいて、光分岐挿入装置１００Ｂへ送信する制御情報を含む監視信号を生成する。監視信号送信機１１２は、コントローラ１１１により生成される監視信号を合波器１０４に導く。
【００１１】
光分岐挿入装置１００Ａの監視信号受信機１１３は、光分岐挿入装置１００Ｂから送信された監視信号を受信する。コントローラ１０６は、光チャネルモニタ１０５によるモニタ結果、および光分岐挿入装置１００Ｂから受信した監視信号に基づいて、ＯＡＤＭデバイス１０１を制御する。このとき、コントローラ１０６は、ＷＤＭ信号のチャネル間のパワー偏差を補償または抑制するように、ＯＡＤＭデバイス１０１を制御する。
【００１２】
このように、光分岐挿入装置１００Ａは、光分岐挿入装置１００Ｂへ送信するＷＤＭ信号の各チャネルのパワー、および光分岐挿入装置１００Ｂから受信する監視信号に基づいて、光分岐挿入装置１００Ｂへ送信するＷＤＭ信号の各チャネルのパワーを調整することができる。また、光分岐挿入装置１００Ａは、光分岐挿入装置１００Ｂから受信したＷＤＭ信号の各チャネルのパワーをモニタし、そのモニタ結果を監視信号を利用して光分岐挿入装置１００Ｂへ通知することもできる。
【００１３】
関連する技術として、波長多重信号光の各信号光のパワーをモニタする信号光モニタが提案されている。この信号光モニタは、光ファイバ伝送路に挿入された光分岐器と、光分岐器で分岐された光に含まれる特定波長光成分を透過する波長可変フィルタと、波長可変フィルタの透過波長を特定波長領域で掃引する掃引器と、波長可変フィルタの透過光を受光する受光器と、受光器の出力をサンプリングするサンプリング装置と、サンプリング装置の時間変化を記憶する記憶装置と、記憶装置に記憶されたデータを基に受光器の出力波形を演算処理する演算処理装置を有する。（例えば、特許文献１）
また、他の関連技術として、特許文献２に記載の光合分波器が知られている。
【先行技術文献】
【特許文献】
【００１４】
【特許文献１】特開平１０−１７３２６６号公報
【特許文献２】特開２００６−３１０９６３号公報
【発明の概要】
【発明が解決しようとする課題】
【００１５】
図１に示す光分岐挿入装置１００は、２つの光チャネルモニタを有する。例えば、光分岐挿入装置１００Ａは、光分岐挿入装置１００Ｂへ送信するＷＤＭ信号の各チャネルのパワーをモニタする光チャネルモニタ１０５、および光分岐挿入装置１００Ｂから受信したＷＤＭ信号の各チャネルのパワーをモニタする光チャネルモニタ１１０を有する。
【００１６】
光チャネルモニタは、例えば、図２に示すように、波長チューナブルフィルタおよび受光器（ＰＤ：Photo Detector）を有する。この場合、波長チューナブルフィルタは、光パワーを検出すべきチャネルの波長を透過するように制御される。したがって、波長チューナブルフィルタの透過波長を掃引すれば、ＷＤＭ信号の各チャネルのパワーをモニタすることができる。
【００１７】
しかし、透過波長を精度よく制御できる波長チューナブルフィルタは高価である。このため、光伝送装置（例えば、図１に示す光分岐挿入装置１００）が複数の光チャネルモニタを有する場合、その光伝送装置のコストは高くなってしまう。換言すれば、光伝送装置が複数のＷＤＭ信号をモニタする機能または回路を有する場合、その光伝送装置のコストは高くなってしまう。
【００１８】
本発明の目的は、複数のＷＤＭ信号をモニタする装置または回路のコストを抑制可能な光チャネルモニタを提供することである。
【課題を解決するための手段】
【００１９】
本発明の１つの態様の光チャネルモニタは、第１の光ポート、第２の光ポート、第３の光ポートを有し、前記第１の光ポートの入力光を前記第２の光ポートに導き、前記第２の光ポートの入力光を少なくとも前記第３の光ポートに導く第１の光デバイスと、第４の光ポート、第５の光ポート、第６の光ポートを有し、前記第４の光ポートの入力光を前記第５の光ポートに導き、前記第５の光ポートの入力光を少なくとも前記第６の光ポートに導く第２の光デバイスと、前記第１の光デバイスの第２の光ポートと光学的に接続する第７の光ポート、および前記第２の光デバイスの第５の光ポートと光学的に接続する第８の光ポートを有し、前記第７の光ポートと前記第８の光ポートとの間で指定された波長を透過させる光フィルタと、前記第２の光デバイスの第６の光ポートの出力光を検出する第１の受光器と、前記第１の光デバイスの第３の光ポートの出力光を検出する第２の受光器と、を有する。
【発明の効果】
【００２０】
上述の態様によれば、複数のＷＤＭ信号をモニタする装置または回路のコストを抑制可能な光チャネルモニタが提供される。
【図面の簡単な説明】
【００２１】
【図１】光チャネルモニタを含む光分岐挿入装置の一例を示す図である。
【図２】従来の光チャネルモニタの一例を示す図である。
【図３】本発明の実施形態に係る光チャネルモニタが実装された光伝送装置の構成を示す図である。
【図４】本発明の実施形態に係る光チャネルモニタの構成を示す図である。
【図５】ＷＤＭ信号のチャネルをモニタする方法を説明する図である。
【図６】光チャネルモニタの実施例を示す図（その１）である。
【図７】光チャネルモニタの実施例を示す図（その２）である。
【図８】光チャネルモニタの実施例を示す図（その３）である。
【図９】光チャネルモニタの実施例を示す図（その４）である。
【図１０】光チャネルモニタのモニタ結果を利用してＷＤＭ信号を制御する方法を示すフローチャートである。
【図１１】本発明の実施形態に係る光チャネルモニタが実装された光分岐挿入装置の一例を示す図である。
【図１２】多重分離モジュールの構成を示す図である。
【図１３】本発明の実施形態に係る光チャネルモニタが実装された光分岐挿入装置の他の実施例を示す図である。
【発明を実施するための形態】
【００２２】
図３は、本発明の実施形態に係る光チャネルモニタが実装された光伝送装置の構成を示す。図３では、光伝送路上に設けられる２台の光分岐挿入装置１（１Ａ、１Ｂ）が描かれている。光分岐挿入装置は、光チャネルモニタが実装された光伝送装置の一例である。
【００２３】
光分岐挿入装置１は、ＯＡＤＭデバイス１１、光ビームスプリッタ１２、ポストアンプ１３、合波器１４、光チャネルモニタ１５、コントローラ１６、分波器１７、プリアンプ１８、光ビームスプリッタ１９、監視信号送信機２０、監視信号受信機２１を有する。ここで、光分岐挿入装置１Ａ、１Ｂの構成および動作は、互いに実質的に同じであるものとする。よって、以下では、光分岐挿入装置１Ａの動作を説明する。
【００２４】
ＯＡＤＭデバイス１１は、ＷＤＭ信号（ここでは、ＷＤＭ信号１）にクライアント信号を挿入できる。また、ＯＡＤＭデバイス１１は、コントローラ１６からの指示に従って、ＷＤＭ信号１の各チャネルのパワーを調整できる。ＯＡＤＭデバイス１１は、波長選択スイッチ（ＷＳＳ：Wavelength Selective Switch）を有する。
【００２５】
光ビームスプリッタ１２は、ＯＡＤＭデバイス１１から出力されるＷＤＭ信号１を分岐してポストアンプ１３および光チャネルモニタ１５に導く。なお、光分岐挿入装置１ＡのＯＡＤＭデバイス１１から出力されるＷＤＭ信号１は、光伝送路１２０Ａを介して光分岐挿入装置１Ｂへ送信される。
【００２６】
光チャネルモニタ１５は、ＯＡＤＭデバイス１１から出力されるＷＤＭ信号１の各チャネルのパワーをモニタする。また、光チャネルモニタ１５は、光分岐挿入装置１Ｂから受信するＷＤＭ信号２の各チャネルのパワーをモニタする。光チャネルモニタ１５は、後で詳しく説明するが、ＷＤＭ信号１の各チャネルのパワーおよびＷＤＭ信号２の各チャネルのパワーを同時にモニタできる。
【００２７】
ポストアンプ１３は、ＯＡＤＭデバイス１１から出力されるＷＤＭ信号１を増幅する。合波器１４は、ポストアンプ１３により増幅されたＷＤＭ信号１に監視信号送信機２０から出力される監視信号１を合波する。よって、光分岐挿入装置１Ａから光伝送路１２０Ａを介して光分岐挿入装置１ＢへＷＤＭ信号１および監視信号１が伝送される。同様に、光分岐挿入装置１Ｂから光伝送路１２０Ｂを介して光分岐挿入装置１ＡへＷＤＭ信号２および監視信号２が伝送される。
【００２８】
光分岐挿入装置１Ａは、光分岐挿入装置１Ｂから送信されるＷＤＭ信号２および監視信号２を受信する。分波器１７は、ＷＤＭ信号２をプリアンプ１８に導くと共に、監視信号２を監視信号受信機２１に導く。プリアンプ１８は、ＷＤＭ信号２を増幅する。光ビームスプリッタ１９は、プリアンプ１８により増幅されたＷＤＭ信号２を分岐して光チャネルモニタ１５に導く。さらに、光スプリッタ２５は、出力ＷＤＭ信号（すなわち、ＷＤＭ信号２）を分岐する。この分岐ＷＤＭ信号から指定された波長が選択され、クライアントへ送信される。
【００２９】
監視信号送信機２０は、光チャネルモニタ１５によるモニタ結果に基づいて、光分岐挿入装置１Ｂへ送信する監視信号１を生成する。監視信号１は、ＷＤＭ信号２の各チャネルのパワーを表す情報を含む。また、監視信号１は、ＷＤＭ信号１とは異なる波長を有する光信号により実現される。監視信号送信機２０により生成される監視信号１は、合波器１４によりＷＤＭ信号１に合波される。光分岐挿入装置１Ａの監視信号受信機２１は、光分岐挿入装置１Ｂから送信された監視信号２を受信する。
【００３０】
コントローラ１６は、光チャネルモニタ１５により得られるＷＤＭ信号１についてのモニタ結果、および光分岐挿入装置１Ｂから受信する監視信号２に基づいて、ＯＡＤＭデバイス１１を制御する。このとき、コントローラ１６は、例えば、ＷＤＭ信号１のチャネル間のパワー偏差を補償または抑制するように、ＯＡＤＭデバイス１１を制御する。
【００３１】
このように、光分岐挿入装置１Ａは、光分岐挿入装置１Ｂへ送信するＷＤＭ信号１の各チャネルのパワー、および光分岐挿入装置１Ｂから受信する監視信号２に基づいて、光分岐挿入装置１Ｂへ送信するＷＤＭ信号１の各チャネルのパワーを調整することができる。また、光分岐挿入装置１Ａは、光分岐挿入装置１Ｂから受信するＷＤＭ信号２の各チャネルのパワーをモニタし、そのモニタ結果を監視信号１を利用して光分岐挿入装置１Ｂへ通知することもできる。
【００３２】
光分岐挿入装置１Ｂの構成および動作は、実質的に光分岐挿入装置１Ａと同じである。すなわち、光分岐挿入装置１Ｂは、光分岐挿入装置１Ａへ送信するＷＤＭ信号２の各チャネルのパワー、および光分岐挿入装置１Ａから受信する監視信号１に基づいて、光分岐挿入装置１Ａへ送信するＷＤＭ信号２の各チャネルのパワーを調整できる。また、光分岐挿入装置１Ｂは、光分岐挿入装置１Ａから受信するＷＤＭ信号１の各チャネルのパワーをモニタし、そのモニタ結果を監視信号２を利用して光分岐挿入装置１Ａへ通知できる。
【００３３】
図４は、本発明の実施形態に係る光チャネルモニタの構成を示す。光チャネルモニタ１５は、第１の光デバイス３１、第２の光デバイス３２、チューナブルフィルタ３３、受光器３４、３５を有する。なお、光チャネルモニタ１５は、図３に示す例では、各光分岐挿入装置１に実装されている。
【００３４】
光チャネルモニタ１５は、２つのＷＤＭ信号の各チャネルのパワーを同時にモニタできる。以下の説明では、光チャネルモニタ１５は、ＷＤＭ信号１の各チャネルのパワーおよびＷＤＭ信号２の各チャネルのパワーをモニタするものとする。すなわち、光チャネルモニタ１５には、ＷＤＭ信号１およびＷＤＭ信号２が入力される。
【００３５】
第１の光デバイス３１は、光ポートＰ１、光ポートＰ２、光ポートＰ３を有する。そして、第１の光デバイス３１は、光ポートＰ１の入力光を光ポートＰ２に導き、光ポートＰ２の入力光を少なくとも光ポートＰ３に導く。
【００３６】
第２の光デバイス３２は、光ポートＰ４、光ポートＰ５、光ポートＰ６を有する。そして、第２の光デバイス３２は、光ポートＰ４の入力光を光ポートＰ５に導き、光ポートＰ５の入力光を少なくとも光ポートＰ６に導く。
【００３７】
チューナブルフィルタ３３は、光ポートＰ７および光ポートＰ８を有する。光ポートＰ７は、第１の光デバイス３１の光ポートＰ２と光学的に接続する。光ポートＰ８は、第２の光デバイス３２の光ポートＰ５と光学的に接続する。そして、チューナブルフィルタ３３は、光ポートＰ７と光ポートＰ８との間で、指定された波長を透過させる。ここで、チューナブルフィルタ３３は、方向性を有していない。したがって、チューナブルフィルタ３３は、光ポートＰ７から光ポートＰ８へ指定された波長の光を透過させると共に、光ポートＰ８から光ポートＰ７へ指定された波長の光を透過させることができる。
【００３８】
各光ポート（Ｐ１〜Ｐ８）の構成または実装方法は、特に限定されるものではない。すなわち、各光ポートは、光入力および光出力を可能にする任意の構成または実装方法で実現することができる。
【００３９】
受光器３４は、第２の光デバイス３２の光ポートＰ６の出力光を検出する。一方、受光器３５は、第１の光デバイス３１の光ポートＰ３の出力光を検出する。
ＷＤＭ信号１は、第１の光デバイス３１の光ポートＰ１に入力される。そうすると、ＷＤＭ信号１は、光ポートＰ２を介して出力され、チューナブルフィルタ３３の光ポートＰ７に導かれる。チューナブルフィルタ３３は、波長選択指示により指定される波長成分を透過させる。ここで、波長選択指示により指定される透過波長をλsと呼ぶことにする。この場合、チューナブルフィルタ３３は、ＷＤＭ信号１からλs成分を抽出し、その抽出したλs成分を光ポートＰ８を介して出力する。
【００４０】
チューナブルフィルタ３３の光ポートＰ８を介して出力されるＷＤＭ信号１のλs成分は、第２の光デバイス３２の光ポートＰ５に導かれる。すると、ＷＤＭ信号１のλs成分は、光ポートＰ６を介して出力される。よって、受光器３４は、ＷＤＭ信号１のλs成分を検出する。すなわち、受光器３４は、ＷＤＭ信号１のλs成分に対応する電流を生成する。
【００４１】
ＷＤＭ信号２は、第２の光デバイス３２の光ポートＰ４に入力される。そうすると、ＷＤＭ信号２は、光ポートＰ５を介して出力され、チューナブルフィルタ３３の光ポートＰ８に導かれる。そして、チューナブルフィルタ３３は、ＷＤＭ信号２からλs成分を抽出し、その抽出したλs成分を光ポートＰ７を介して出力する。
【００４２】
チューナブルフィルタ３３の光ポートＰ７を介して出力されるＷＤＭ信号２のλs成分は、第１の光デバイス３１の光ポートＰ２に導かれる。すると、ＷＤＭ信号２のλs成分は、光ポートＰ３を介して出力される。よって、受光器３５は、ＷＤＭ信号２のλs成分を検出する。すなわち、受光器３５は、ＷＤＭ信号２のλs成分に対応する電流を生成する。
【００４３】
波長選択指示は、波長掃引器４１によって生成される。波長掃引器４１は、チューナブルフィルタ３３の透過波長λsがＷＤＭ信号の信号波長帯を掃引するように、波長選択指示を生成する。例えば、図５に示すように、ＷＤＭ信号が波長チャネルｃｈ１〜ｃｈｎを含むものとする。この場合、透過波長λsがすべての波長チャネルｃｈ１〜ｃｈｎを掃引するように、波長選択指示が生成される。なお、図５に示す例では、透過波長λsは、短波長側から長波長側へ掃引されているが、長波長側から短波長側へ掃引されるようにしてもよい。
【００４４】
波長選択指示によってチューナブルフィルタ３３の透過波長λsが掃引されるとき、受光器３４、３５の出力信号は、その透過波長λsに応じて変化する。例えば、図５に示す例では、透過波長λs＝λ1であるときに、チャネルｃｈ１の光信号に対応する電流が受光器により生成される。また、透過波長λs＝λ3であるときには、波長チャネルｃｈ３の光信号に対応する電流が受光器により生成される。
【００４５】
サンプリング器４２は、受光器３４の出力信号をサンプリングする。同様に、サンプリング器４３は、受光器３５の出力信号をサンプリングする。ここで、受光器３４、３５とサンプリング器４２、４３との間には、それぞれ、電流信号を電圧信号に変換するデバイス（例えば、ＴＩＡ）を設けるようにしてもよい。また、サンプリング器４２、４３は、例えば、Ａ／Ｄ変換器により実現される。
【００４６】
チャネル検出器４４は、サンプリング器４２の出力信号に基づいて、ＷＤＭ信号１の複数のチャネルのパワーを検出する。同様に、チャネル検出器４５は、サンプリング器４３の出力信号に基づいて、ＷＤＭ信号２の複数のチャネルのパワーを検出する。このとき、チャネル検出器４４、４５は、波長掃引器４１によって生成される波長選択信号と同期して、各チャネルのパワーを検出してもよい。
【００４７】
このように、チューナブルフィルタ３３の透過波長λsを掃引すると、チャネル検出器４４においてＷＤＭ信号１の各チャネルのパワーが検出され、チャネル検出器４５においてＷＤＭ信号２の各チャネルのパワーが検出される。すなわち、実施形態の光チャネルモニタ１５は、１つのチューナブルフィルタで２つのＷＤＭ信号の各チャネルを同時にモニタできる。
【００４８】
波長掃引器４１、チャネル検出器４４、４５は、例えば、デジタル信号処理器で実現される。この場合、サンプリング器４２、４３は、デジタル信号処理器に内蔵されていてもよいし、デジタル信号処理器の外に設けられていてもよい。また、波長掃引器４１、サンプリング器４２、４３、チャネル検出器４４、４５は、光チャネルモニタ１５の一部であってもよい。あるいは、波長掃引器４１、サンプリング器４２、４３、チャネル検出器４４、４５は、光チャネルモニタ１５の外部に設けられていてもよい。
【００４９】
チューナブルフィルタ３３は、特に限定されるものではないが、例えば、音響光学チューナブルフィルタ（ＡＯＦＴ：Acousto-Optic Tunable Filter）で実現される。この場合、チューナブルフィルタ３３の透過波長を指定する制御信号（すなわち、波長選択指示）は、その透過波長に対応する周波数の音響波信号（たとえば、弾性表面波（ＳＡＷ：Surface Acoustic Wave））である。したがって、波長掃引器４１は、音響波信号の周波数を制御することにより、チューナブルフィルタ３３の透過波長を掃引できる。
【００５０】
チューナブルフィルタ３３は、他のデバイスを利用して実現してもよい。例えば、チューナブルフィルタ３３は、薄膜フィルタで実現してもよい。また、チューナブルフィルタ３３は、温度に応じて透過波長が変化する光フィルタで実現してもよい。この場合、透過波長は、例えば、光フィルタの近傍に設けられるヒータに供給する電流で制御される。さらに、チューナブルフィルタ３３は、入力光を分光する光デバイスで実現してもよい。この場合、所望の波長の光が対応する光ポートに導かれるように、光デバイスの角度が制御される。このような光デバイスは、例えば、誘電体多層膜により実現される。
【００５１】
次に、図６〜図９を参照しながら、光チャネルモニタ１５の実施例について記載する。なお、図６〜図９においては、図４に示す波長掃引器４１、サンプリング器４２、４３、チャネル検出器４４、４５は省略されている。
【００５２】
図６に示す実施例では、第１の光デバイス３１および第２の光デバイス３２は、それぞれ光カプラにより実現される。すなわち、光カプラ３１ａは、第１の光デバイス３１の一例である。また、光カプラ３２ａは、第２の光デバイス３２の一例である。
【００５３】
光カプラ３１ａは、光ポートＰ１の入力光が光ポートＰ２に導かれ、光ポートＰ２の入力光が光ポートＰ１および光ポートＰ３に導かれ、光ポートＰ３の入力光が光ポートＰ２に導かれるように形成されている。同様に、光カプラ３２ａは、光ポートＰ４の入力光が光ポートＰ５に導かれ、光ポートＰ５の入力光が光ポートＰ４および光ポートＰ６に導かれ、光ポートＰ６の入力光が光ポートＰ５に導かれるように形成されている。
【００５４】
光カプラ３１ａ、３２ａは、たとえば、導波路型光カプラまたは光ファイバカプラである。また、光カプラ３１ａ、３２ａは、例えば、２×１光カプラである。ただし、光カプラ３１ａ、３２ａは、２×１光カプラに限定されるものではなく、ｍ×ｎ光カプラで実現してもよい。ｍ、ｎは、それぞれ任意の整数である。この場合、光カプラ３１ａにおいては、ｍ個の光ポートのうちの２個が光ポートＰ１、Ｐ３として使用され、ｎ個の光ポートのうちの１個が光ポートＰ２として使用される。同様に、光カプラ３２ａにおいては、ｍ個の光ポートのうちの２個が光ポートＰ４、Ｐ６として使用され、ｎ個の光ポートのうちの１個が光ポートＰ５として使用される。
【００５５】
このように、第１の光デバイス３１および第２の光デバイス３２としてそれぞれ光カプラ３１ａおよび光カプラ３２ａを使用すれば、図４〜図５を参照しながら説明したチャネルモニタ動作を実現できる。ただし、図６に示す構成では、チューナブルフィルタ３３を通過するＷＤＭ信号１の波長成分は、光ポートＰ６だけでなく、光ポートＰ４にも導かれる。そして、この波長成分は、光ポートＰ４に光学的に接続されている回路に影響を及ぼすおそれがある。同様に、チューナブルフィルタ３３を通過するＷＤＭ信号２の波長成分は、光ポートＰ３だけでなく、光ポートＰ１にも導かれる。そして、この波長成分は、光ポートＰ１に光学的に接続されている回路に影響を及ぼすおそれがある。
【００５６】
したがって、光チャネルモニタ１５は、光ポートＰ１、Ｐ４に光学的に接続されている回路への影響を除去または抑制する機能を有することが好ましい。この機能は、例えば、図７〜図９に示す構成により実現される。
【００５７】
図７に示す実施例では、光チャネルモニタ１５は、光カプラ３１ａ、３２ａ、チューナブルフィルタ３３、受光器３４、３５に加えて、光アイソレータ３６、３７を有する。光アイソレータ３６は、光カプラ３１ａの光ポートＰ１に光学的に接続される。ここで、光アイソレータ３６は、光ポートＰ１への入力光を透過させ、光ポートＰ１の出力光を阻止するように実装される。光アイソレータ３７は、光カプラ３２ａの光ポートＰ４に光学的に接続される。ここで、光アイソレータ３７は、光ポートＰ４への入力光を透過させ、光ポートＰ４の出力光を阻止するように実装される。
【００５８】
上記構成により、チューナブルフィルタ３３を通過するＷＤＭ信号１の波長成分は、光ポートＰ４から出力された後、光アイソレータ３７によって阻止される。同様に、チューナブルフィルタ３３を通過するＷＤＭ信号２の波長成分は、光ポートＰ１から出力された後、光アイソレータ３６によって阻止される。したがって、不要な光信号成分が光ポートＰ１、Ｐ４に光学的に接続されている回路に影響を及ぼすことはない。
【００５９】
図８に示す実施例では、第１の光デバイス３１として光カプラ３１ｂが使用され、第２の光デバイス３２として光カプラ３２ｂが使用される。光カプラ３１ｂは、光ポートＰ３の分岐比が光ポートＰ１の分岐比よりも大きくなるように形成されている。すなわち、光カプラ３１ｂは、光ポートＰ３の出力パワーが光ポートＰ１の出力パワーよりも大きくなるように、光ポートＰ２の入力光を分岐する。同様に、光カプラ３２ｂは、光ポートＰ６の分岐比が光ポートＰ４の分岐比よりも大きくなるように形成されている。すなわち、光カプラ３２ｂは、光ポートＰ６の出力パワーが光ポートＰ４の出力パワーよりも大きくなるように、光ポートＰ５の入力光を分岐する。
【００６０】
上記構成によれば、チューナブルフィルタ３３を通過するＷＤＭ信号１の波長成分の大部分は、光カプラ３２ｂによって、光ポートＰ６を介して受光器３４に導かれる。このとき、チューナブルフィルタ３３を通過するＷＤＭ信号１の波長成分の一部が光ポートＰ４を介して出力されるが、光ポートＰ４の出力光のパワーは十分に小さい。同様に、チューナブルフィルタ３３を通過するＷＤＭ信号２の波長成分の大部分は、光カプラ３１ｂによって、光ポートＰ３を介して受光器３５に導かれる。このとき、チューナブルフィルタ３３を通過するＷＤＭ信号２の波長成分の一部が光ポートＰ１を介して出力されるが、光ポートＰ４の出力光のパワーは十分に小さい。
【００６１】
このように、図８に示す実施例では、光ポートＰ１、Ｐ４を介して出力される不要な光信号成分は、抑制される。なお、光カプラ３１ｂ、３２ｂの分岐比は、それぞれ例えば、１０：１である。ただし、光カプラ３１ｂ、３２ｂの分岐比は、１０：１に限定されるものではない。
【００６２】
図９に示す実施例では、第１の光デバイス３１および第２の光デバイス３２は、それぞれ光サーキュレータにより実現される。すなわち、光サーキュレータ３１ｃは、第１の光デバイス３１の一例である。また、光サーキュレータ３２ｃは、第２の光デバイス３２の一例である。
【００６３】
光サーキュレータ３１ｃは、光ポートＰ１の入力光を光ポートＰ２へ導き、光ポートＰ２の入力光を光ポートＰ３へ導く。このとき、光ポートＰ２の入力光は、光ポートＰ３へは導かれない。同様に、光サーキュレータ３２ｃは、光ポートＰ４の入力光を光ポートＰ５へ導き、光ポートＰ５の入力光を光ポートＰ６へ導く。このとき、光ポートＰ５の入力光は、光ポートＰ６へは導かれない。
【００６４】
上記構成によれば、チューナブルフィルタ３３を通過するＷＤＭ信号１の波長成分は、光サーキュレータ３２ｃによって受光器３４に導かれる。このとき、チューナブルフィルタ３３を通過するＷＤＭ信号１の波長成分は、光ポートＰ４には導かれない。同様に、チューナブルフィルタ３３を通過するＷＤＭ信号２の波長成分は、光サーキュレータ３１ｃによって受光器３５に導かれる。このとき、チューナブルフィルタ３３を通過するＷＤＭ信号２の波長成分は、光ポートＰ１には導かれない。したがって、不要な光信号成分が光ポートＰ１、Ｐ４に光学的に接続されている回路に影響を及ぼすことはない。
【００６５】
図１０は、光チャネルモニタのモニタ結果を利用してＷＤＭ信号を制御する方法を示すフローチャートである。ここでは、図３に示す光分岐挿入装置１ＡがＷＤＭ信号１の各チャネルのパワーを制御する手順を説明する。ただし、光分岐挿入装置１Ａは、光分岐挿入装置１ＢによるＷＤＭ信号１のモニタ結果を利用して、ＷＤＭ信号１を制御する。したがって、図１０に示すフローチャートは、光分岐挿入装置１Ａ、１Ｂの動作が記載されている。
【００６６】
Ｓ１において、光分岐挿入装置１Ａの光チャネルモニタ１５は、ＯＡＤＭデバイス１１から出力されるＷＤＭ信号１の各チャネルの光パワーＰ1(λ)を検出する。ＯＡＤＭデバイス１１から出力されるＷＤＭ信号１は、光ビームスプリッタ１２により分岐されて光チャネルモニタ１５に導かれる。例えば、図４に示す光チャネルモニタ１５の光ポートＰ１にＷＤＭ信号１が導かれるときは、受光器３４（または、チャネル検出器４４）によってＷＤＭ信号１の各チャネルの光パワーＰ1(λ)が検出される。そして、光チャネルモニタ１５により検出された光パワーＰ1(λ)を表す送信パワー情報は、コントローラ１６に与えられる。
【００６７】
Ｓ１１において、光分岐挿入装置１Ｂの光チャネルモニタ１５は、光分岐挿入装置１Ａから受信するＷＤＭ信号１の各チャネルの光パワーＰ2(λ)を検出する。光分岐挿入装置１Ｂにおいて、受信ＷＤＭ信号１は、プリアンプ１８により増幅された後、光ビームスプリッタ１９により分岐されて光チャネルモニタ１５に導かれる。
【００６８】
Ｓ１２において、光分岐挿入装置１Ｂの監視信号送信機２０は、光チャネルモニタ１５により検出された光パワーＰ2(λ)を表す受信パワー情報を含む監視信号２を生成する。そして、監視信号送信機２０は、この監視信号２を光分岐挿入装置１Ａへ送信する。このとき、監視信号２は、ＷＤＭ信号２と共に、光伝送路１２０Ｂを介して光分岐挿入装置１Ａへ伝送される。
【００６９】
光分岐挿入装置１Ａの監視信号受信機２１は、光分岐挿入装置１Ｂから送信された監視信号２を受信する。そして、監視信号受信機２１は、受信した監視信号２をコントローラ１６に与える。すなわち、光分岐挿入装置１Ｂで検出された光パワーＰ2(λ)を表す受信パワー情報が、コントローラ１６に与えられる。
【００７０】
Ｓ２において、光分岐挿入装置１Ａのコントローラ１６は、光分岐挿入装置１Ａの光チャネルモニタ１５で検出された光パワーＰ1(λ)、および光分岐挿入装置１Ｂの光チャネルモニタ１５で検出された光パワーＰ2(λ)に基づいて、光パワー偏差ΔＰ(λ)を計算する。このとき、コントローラ１６は、ＷＤＭ信号１の各チャネルについて光パワー偏差ΔＰ(λ)を計算することができる。
ΔＰ(λ)[dB]＝Ｐ1(λ)[dBm]−Ｐ2(λ)[dBm]
【００７１】
光パワー偏差ΔＰ(λ)は、光分岐挿入装置１Ａから光分岐挿入装置１Ｂへの伝送において発生する。すなわち、光パワー偏差ΔＰ(λ)は、光分岐挿入装置１Ａのポストアンプ１４、光伝送路１２０Ａ、光分岐挿入装置１Ｂのプリアンプ１８の影響を受ける。例えば、光アンプ（ポストアンプ、プリアンプ）において利得偏差が発生し得る。また、光伝送路は、波長依存損失（ＷＤＬ：Wavelength Dependent Loss）を有する。さらに、光伝送路においてＳＲＳチルト（Stimulated Raman Scattering Tilt）が発生し得る。
【００７２】
Ｓ３において、光分岐挿入装置１Ａのコントローラ１６は、光パワー偏差ΔＰ(λ)に基づいて、ＷＤＭ信号１の各チャネルの光パワーを制御する制御信号を生成する。そうすると、ＯＡＤＭデバイス１１は、この制御信号に応じてＷＤＭ信号１の各チャネルの光パワーを制御する。このとき、コントローラ１６は、例えば、光分岐挿入装置１ＢにおいてＷＤＭ信号１の各チャネルの光パワーが等化または略等化されるように、ＯＡＤＭデバイスを制御する。なお、ＯＡＤＭデバイス１１は、ＷＤＭ信号の各チャネルのレベルを個々に制御する機能を有しているものとする。この場合、ＯＡＤＭデバイス１１は、例えば、ＷＤＭ信号の各チャネルの減衰量を個々に制御する。
【００７３】
図１０に示すフローチャートは、光分岐挿入装置１Ａから光分岐挿入装置１Ｂへ伝送されるＷＤＭ信号１を制御する方法を示している。光分岐挿入装置１Ｂから光分岐挿入装置１Ａへ伝送されるＷＤＭ信号２を制御する方法は、実質的に、図１０示す方法と同じである。ただし、ＷＤＭ信号２の制御は、光分岐挿入装置１Ｂのコントローラ１６によって実行される。このとき、光分岐挿入装置１Ｂのコントローラ１６は、光分岐挿入装置１Ｂの光チャネルモニタ１５により検出されるＷＤＭ信号２の送信パワー情報、および光分岐挿入装置１Ａの光チャネルモニタ１５により検出されるＷＤＭ信号２の受信パワー情報を利用して、ＷＤＭ信号２の各チャネルのパワーを制御する。
【００７４】
図１０に示すフローチャートでは、光チャネルモニタ１５は、ＷＤＭ信号１の各チャネルをモニタしている。しかし、光チャネルモニタ１５は、ＷＤＭ信号１の各チャネルおよびＷＤＭ信号２の各チャネルをモニタする。例えば、図１０に示すフローチャートのＳ１では、光分岐挿入装置１Ａの光チャネルモニタ１５は、ＷＤＭ信号１の各チャネルの光パワーを検出する。このとき、この光チャネルモニタ１５は、図１０には記載されていないが、光分岐挿入装置１Ｂから受信するＷＤＭ信号２の各チャネルの光パワーも検出する。そして、光分岐挿入装置１Ａは、ＷＤＭ信号２の各チャネルの光パワーを表す情報を、監視信号１を使用して光分岐挿入装置１Ｂへ通知する。
【００７５】
一方、図１０に示すフローチャートのＳ１１では、光分岐挿入装置１Ｂの光チャネルモニタ１５は、光分岐挿入装置１Ａから受信したＷＤＭ信号１の各チャネルの光パワーを検出する。このとき、この光チャネルモニタ１５は、図１０には記載されていないが、光分岐挿入装置１Ａへ送信するＷＤＭ信号２の各チャネルの光パワーも検出する。
【００７６】
このように、図３に示す光分岐挿入装置１においては、１つの光チャネルモニタ１５が２つのＷＤＭ信号をモニタする。例えば、光分岐挿入装置１Ａにおいては、光チャネルモニタ１５は、光分岐挿入装置１Ｂへ送信するＷＤＭ信号１および光分岐挿入装置１Ｂから受信するＷＤＭ信号２をモニタする。これに対して、図１に示す光分岐挿入装置１００においては、光分岐挿入装置１００Ｂへ送信するＷＤＭ信号１は光チャネルモニタ１０５によりモニタされ、光分岐挿入装置１００Ｂから受信するＷＤＭ信号２は光チャネルモニタ１１０によりモニタされる。
【００７７】
したがって、本発明の実施形態の構成によれば、光分岐挿入装置に実装される光チャネルモニタの個数を少なくできる。すなわち、本発明の実施形態の光チャネルモニタ１５を採用すれば、複数のＷＤＭ信号をモニタする機能を有する光伝送装置（ここでは、光分岐挿入装置１）のコストを削減できる。
【００７８】
なお、図２に示す光チャネルモニタの入力側に、複数のＷＤＭ信号から１つのＷＤＭ信号を選択するスイッチを設ければ、１つの光チャネルモニタで複数のＷＤＭ信号をモニタできる。ただし、この構成では、複数のＷＤＭ信号を同時にモニタすることは出来ないので、ＷＤＭ信号をモニタするために要する時間が長くなる。これに対して、本発明の実施形態の構成によれば、２つのＷＤＭ信号を同時にモニタできるので、ＷＤＭ信号をモニタするために要する時間は短い。
【００７９】
図１１は、本発明の実施形態に係る光チャネルモニタが実装された光分岐挿入装置の一例を示す。図１１に示す光分岐挿入装置は、第１方路および第２方路を有する。「方路」は、この明細書では、ある方向に向かって伸びる光伝送路を意味する。各方路は、入方路および出方路を含む。なお、光分岐挿入装置が備える方路の数は「Degree」でカウントされることがある。例えば、図１１に示す光分岐挿入装置は、2-degree OADMである。
【００８０】
図１１に示す光分岐挿入装置は、ＯＡＤＭモジュール２Ｘ、２Ｙ、および多重分離モジュール（MUX/DEMUX）３Ｘ、３Ｙを有する。各ＯＡＤＭモジュール２Ｘ、２Ｙは、対応する方路に対して設けられる。この例では、ＯＡＤＭモジュール２Ｘは、第１方路に対して設けられており、ＯＡＤＭモジュール２Ｙは、第２方路に対して設けられている。
【００８１】
ＯＡＤＭモジュール２Ｘに実装されている光ビームスプリッタ１２ｘ、ポストアンプ１３ｘ、合波器１４ｘ、光チャネルモニタ１５ｘ、コントローラ１６ｘ、分波器１７ｘ、プリアンプ１８ｘ、光ビームスプリッタ１９ｘ、監視信号送信機２０ｘ、監視信号受信機２１ｘは、それぞれ図３に示す光ビームスプリッタ１２、ポストアンプ１３、合波器１４、光チャネルモニタ１５、コントローラ１６、分波器１７、プリアンプ１８、光ビームスプリッタ１９、監視信号送信機２０、監視信号受信機２１と実質的に同じである。また、ＯＡＤＭモジュール２Ｙに実装されている光ビームスプリッタ１２ｙ、ポストアンプ１３ｙ、合波器１４ｙ、光チャネルモニタ１５ｙ、コントローラ１６ｙ、分波器１７ｙ、プリアンプ１８ｙ、光ビームスプリッタ１９ｙ、監視信号送信機２０ｙ、監視信号受信機２１ｙも、それぞれ図３に示す光ビームスプリッタ１２、ポストアンプ１３、合波器１４、光チャネルモニタ１５、コントローラ１６、分波器１７、プリアンプ１８、光ビームスプリッタ１９、監視信号送信機２０、監視信号受信機２１と実質的に同じである。
【００８２】
ただし、ＯＡＤＭモジュール２Ｘは、第１方路から受信するＷＤＭ信号をＯＡＤＭモジュール２Ｙへ導く。同様に、ＯＡＤＭモジュール２Ｙは、第２方路から受信するＷＤＭ信号をＯＡＤＭモジュール２Ｘへ導く。
【００８３】
ＯＡＤＭモジュール２Ｘは、第２方路から受信するＷＤＭ信号を第１方路へ出力する。このとき、ＯＡＤＭデバイス１１ｘは、このＷＤＭ信号に、多重分離モジュール３Ｘにより生成されるアド信号を挿入することができる。また、ＯＡＤＭデバイス１１ｘは、このＷＤＭ信号の１または複数のチャネルを阻止することができる。同様に、ＯＡＤＭモジュール２Ｙは、第１方路から受信するＷＤＭ信号を第２方路へ出力する。このとき、ＯＡＤＭデバイス１１ｙは、このＷＤＭ信号に、多重分離モジュール３Ｙにより生成されるアド信号を挿入することができる。また、ＯＡＤＭデバイス１１ｙは、このＷＤＭ信号の１または複数のチャネルを阻止することができる。
【００８４】
光スプリッタ２２ｘは、第１方路から受信するＷＤＭ信号を分岐する。光スプリッタ２２ｘにより分岐されたＷＤＭ信号は、ＯＡＤＭデバイス１１ｙおよび多重分離モジュール３Ｘに導かれる。同様に、光スプリッタ２２ｙは、第２方路から受信するＷＤＭ信号を分岐する。光スプリッタ２２ｙにより分岐されたＷＤＭ信号は、ＯＡＤＭデバイス１１ｘおよび多重分離モジュール３Ｙに導かれる。
【００８５】
上記構成において、光チャネルモニタ１５ｘは、第１方路へ送信するＷＤＭ信号および第１方路から受信するＷＤＭ信号をモニタする。また、光チャネルモニタ１５ｙは、第２方路へ送信するＷＤＭ信号および第２方路から受信するＷＤＭ信号をモニタする。
【００８６】
図１２は、多重分離モジュールの構成を示す。図１２に示す多重分離モジュール３は、図１１に示す多重分離モジュール３Ｘ、３Ｙの実施例である。なお、多重分離モジュール３が図１１に示す多重分離モジュール３Ｘとして動作する場合、ＷＤＭ信号ＡはＯＡＤＭデバイス１１ｘに導かれるアド信号に相当し、ＷＤＭ信号Ｄは光スプリッタ２２ｘから受信するドロップ信号に相当する。また、多重分離モジュール３が図１１に示す多重分離モジュール３Ｙとして動作する場合、ＷＤＭ信号ＡはＯＡＤＭデバイス１１ｙに導かれるアド信号に相当し、ＷＤＭ信号Ｄは光スプリッタ２２ｙから受信するドロップ信号に相当する。
【００８７】
多重分離モジュール３は、光ビームスプリッタ５１、デマルチプレクサ５２、マルチプレクサ５３、光ビームスプリッタ５４、光チャネルモニタ５５を有する。入力ＷＤＭ信号Ｄは、光ビームスプリッタ５１を介してデマルチプレクサ５２に導かれる。このとき、光ビームスプリッタ５１は、ＷＤＭ信号Ｄを分岐して光チャネルモニタ５５に導く。デマルチプレクサ５２は、ＷＤＭ信号Ｄを波長ごとに分離して受信機５６−１〜５６−ｎへ導く。デマルチプレクサ５２は、例えば、ＡＷＧ（Arrayed Wavelength Guide）により実現される。
【００８８】
マルチプレクサ５３は、送信機５７−１〜５７−ｎから送信される光信号を多重化してＷＤＭ信号Ａを生成する。マルチプレクサ５３は、例えば、ＡＷＧにより実現される。光ビームスプリッタ５４は、マルチプレクサ５３から出力されるＷＤＭ信号Ａを分岐して光チャネルモニタ５５に導く。
【００８９】
光チャネルモニタ５５は、本発明の実施形態の光チャネルモニタにより実現される。したがって、光チャネルモニタ５５は、モニタ動作の開始を指示する動作コマンドを受け取ると、ＷＤＭ信号Ｄの各チャネルをモニタすると共に、ＷＤＭ信号Ａの各チャネルをモニタする。すなわち、光チャネルモニタ５５は、デマルチプレクサ５２によって分離されるＷＤＭ信号の各チャネルをモニタすると共に、マルチプレクサ５３によって多重化されたＷＤＭ信号の各チャネルをモニタする。
【００９０】
図１３は、本発明の実施形態に係る光チャネルモニタが実装された光分岐挿入装置の他の例を示す。図１３に示す光分岐挿入装置は、第１の方路、第２の方路、第３の方路を有する。即ち、この光分岐挿入装置は、3-degree OADMである。そして、この光分岐挿入装置は、ＯＡＤＭモジュール４Ｘ、４Ｙ、４Ｚ、およびColorless-Directionlessモジュール５を有する。ＯＡＤＭモジュール４Ｘ、４Ｙ、４Ｚは、それぞれ、第１方路、第２の方路、第３の方路に対して設けられている。
【００９１】
各ＯＡＤＭモジュール４Ｘ、４Ｙ、４Ｚは、実質的に、図１１に示すＯＡＤＭモジュール２Ｘ、２Ｙと同じである。ただし、図１３では、図面を見やすくするために、各ＯＡＤＭモジュール４Ｘ、４Ｙ、４Ｚ内の幾つかの素子は省略されている。また、図１３に示す構成では、図１１に示す光スプリッタ（２２ｘ、２２ｙ）の代わりに、１×３スプリッタが実装されている。
【００９２】
Colorless-Directionlessモジュール５は、ｎ×１カプラ６１、光アンプ６２、光ビームスプリッタ６３、１×３スプリッタ６４、３×１波長選択スイッチ６５、光アンプ６６、光ビームスプリッタ６７、１×ｎ波長選択スイッチ６８、光チャネルモニタ６９を有する。
【００９３】
ｎ×１カプラ６１は、送信機５７−１〜５７−ｎから送信される光信号λ１〜λｎを合波してＷＤＭ信号を生成する。光信号λ１〜λｎの波長は、互いに異なっている。このとき、光信号λ１〜λｎは、ｎ×１カプラ６１の任意のポートに入力することができる。すなわち、Colorless機能が実現される。
【００９４】
ｎ×１カプラ６１から出力されるＷＤＭ信号は、光アンプ６２で増幅された後、光ビームスプリッタ６３により１×３スプリッタ６４および光チャネルモニタ６９に導かれる。１×３スプリッタ６４は、このＷＤＭ信号を各ＯＡＤＭモジュール４Ｘ、４Ｙ、４Ｚの波長選択スイッチ（ＷＳＳ）に導く。各ＯＡＤＭモジュール４Ｘ、４Ｙ、４ＺのＷＳＳは、光信号λ１〜λｎの中から所望の光信号を選択できる。このように、光分岐挿入装置は、光信号λ１〜λｎをそれぞれ所望の方路へ送信できる。すなわち、Directionless機能が実現される。
【００９５】
各ＯＡＤＭモジュール４Ｘ、４Ｙ、４Ｚは、対応する方路から受信するＷＤＭ信号を、他の２つのＯＡＤＭモジュールに導く。各ＯＡＤＭモジュール４Ｘ、４Ｙ、４ＺのＷＳＳは、他のＯＡＤＭモジュールから導かれてくるＷＤＭ信号中の所望の波長を選択することができる。
【００９６】
各ＯＡＤＭモジュール４Ｘ、４Ｙ、４Ｚは、対応する方路から受信するＷＤＭ信号を、Colorless-Directionlessモジュール５にも導く。すなわち、各方路のＷＤＭ信号が３×１波長選択スイッチ６５に導かれる。そうすると、３×１波長選択スイッチ６５は、各ＷＤＭ信号からそれぞれ所望の波長を選択する。これにより、Directionless機能が実現される。
【００９７】
３×１波長選択スイッチ６５から出力されるＷＤＭ信号は、光アンプ６６で増幅された後、光ビームスプリッタ６７により１×ｎ波長選択スイッチ６８および光チャネルモニタ６９に導かれる。１×ｎ波長選択スイッチ６８は、入力ＷＤＭ信号から所望の波長の光信号を選択することができる。このとき、１×ｎ波長選択スイッチ６８は、選択した光信号を任意のポートを介して出力できる。すなわち、Colorless機能が実現される。
【００９８】
光チャネルモニタ６９は、本発明の実施形態に係る光チャネルモニタであって、ｎ×１カプラ６１から出力されるＷＤＭ信号、および３×１波長選択スイッチ６５から出力されるＷＤＭ信号をモニタする。このとき、光チャネルモニタ６９は、各ＷＤＭ信号の各チャネルについて光信号の有無および光パワーを検出できる。また、各ＯＡＤＭモジュール４Ｘ、４Ｙ、４Ｚに設けられている光チャネルモニタも、本発明の実施形態に係る光チャネルモニタにより実現される。
【符号の説明】
【００９９】
１（１Ａ、１Ｂ）  光分岐挿入装置（ＯＡＤＭ）
１５、１５ｘ、１５ｙ  光チャネルモニタ
３１  第１の光デバイス
３２  第２の光デバイス
３１ａ、３１ｂ、３２ａ、３２ｂ  光カプラ
３１ｃ、３２ｃ  光サーキュレータ
３３  チューナブルフィルタ
３４、３５  受光器
３６、３７  光アイソレータ
４１  掃引器
４４、４５  チャネル検出器
５５、６９  光チャネルモニタ
【図１】
2013197804.tif 000003
【図２】
2013197804.tif 000004
【図３】
2013197804.tif 000005
【図４】
2013197804.tif 000006
【図５】
2013197804.tif 000007
【図６】
2013197804.tif 000008
【図７】
2013197804.tif 000009
【図８】
2013197804.tif 000010
【図９】
2013197804.tif 000011
【図１０】
2013197804.tif 000012
【図１１】
2013197804.tif 000013
【図１２】
2013197804.tif 000014
【図１３】
2013197804.tif 000015